(57)【特許請求の範囲】
【請求項１】
それぞれ異なる入力ラインを経て複数のデータが外部から入力されるとともに、外部に出力されたデータがそれぞれ異なる出力ラインを経て伝送される記録再生装置において、
ノンリニアアクセス可能な記録媒体を用いてデータの記録及び／または再生を行う記録再生手段と、
外部から入力されるデータを前記記録再生手段に転送し、前記記録再生手段から転送されたデータを外部に出力する少なくとも１つの入出力処理手段と、
前記記録再生手段でのデータの記録タイミング及び再生タイミングを指定する指定手段と、
前記指定手段で指定された記録タイミングに対する補正値及び前記指定手段で指定された再生タイミングに対する補正値を設定する設定手段と、
前記指定手段で指定された記録タイミングを、前記設定手段で設定された前記記録タイミングに対する補正値により補正したタイミングで、前記記録再生手段にデータを記録させ、前記指定手段で指定された再生タイミングを、前記設定手段で設定された前記再生タイミングに対する補正値により補正したタイミングで、前記記録再生手段からデータを再生させる制御手段と、を備え、
前記設定手段は、前記入力ライン毎及び前記出力ライン毎に前記補正値を設定するものである
記録再生装置。
【請求項２】
請求項１に記載の記録再生装置において、
前記入出力処理手段で映像データが入力及び出力され、
前記設定手段は、フレーム単位で補正値を設定するものである
記録再生装置。
【請求項３】
ノンリニアアクセス可能な記録媒体を用いてデータの記録及び／または再生を行う記録再生手段と、
外部から入力されるデータを前記記録再生手段に転送し、前記記録再生手段から転送されたデータを外部に出力する少なくとも１つの入出力処理手段と、
前記記録再生手段でのデータの記録タイミング及び再生タイミングを指定する指定手段と、を有し、
それぞれ異なる入力ラインを経て複数のデータが外部から前記入出力処理手段に入力されるとともに、前記入出力処理手段から外部に出力されたデータがそれぞれ異なる出力ラインを経て伝送される記録再生装置における記録再生タイミングの調整方法において、
外部からのデータを前記記録再生装置に伝送する入力ラインでのデータの遅延量に応じて、前記指定手段で指定された記録タイミングに対する補正値を設定し、前記記録再生装置から出力されたデータを伝送する出力ラインでの遅延量に応じて、前記指定手段で指定された再生タイミングに対する補正値を設定する第１ステップと、
前記指定手段で指定された記録タイミングを、前記第１ステップで設定した前記記録タイミングに対する補正値により補正したタイミングで、前記記録再生手段にデータを記録させ、前記指定手段で指定された再生タイミングを、前記第１ステップで設定した前記再生タイミングに対する補正値により補正したタイミングで、前記記録再生手段からデータを再生させる第２ステップと
を含み、
前記第１ステップで、前記入力ライン毎及び前記出力ライン毎に前記補正値を設定する
記録再生タイミングの調整方法。
【請求項４】
請求項３に記載の記録再生タイミングの調整方法において、
前記入出力処理手段で映像データが入力及び出力され、
前記第１ステップで、フレーム単位で補正値を設定する
記録再生タイミングの調整方法。
【発明の詳細な説明】
【０００１】
【発明の属する技術分野】
本発明は、例えばＡＶサーバのように、ノンリニアアクセス可能な記録媒体を用いてデータを記録及び／または再生するとともに複数チャンネルで同時にデータを入出力する記録再生装置に関する。
【０００２】
【従来の技術】
近年、ＣＡＴＶ（ケーブルテレビ）等の普及によるデータ提供の多チャンネル化に伴い、従来のＶＴＲ（ビデオテープレコーダ）とは異なり、１台の映像・音声記録再生装置で複数の映像・音声データ（以下「ＡＶデータ」と呼ぶ）を同時に記録したり、再生したり、さらには記録しながら再生したり等の要求が高まりつつある。そして、この要求を満たすためにハードディスク等のランダムアクセス可能な記録媒体を用いて映像・音声を記録再生するビデオサーバ（またはＡＶ（Ａｕｄｉｏ  ａｎｄ／ｏｒ  Ｖｉｄｅｏ）サーバとも呼ばれる）と呼ばれる装置が普及しつつある。
【０００３】
一般的に、放送局内におけるＡＶサーバは、画質や音質に対する要求から、必要とされるデータの転送レートが高い上に長時間のデータを記録するために大容量である必要がある。そこで、ＡＶデータを蓄積するとともに並列処理が可能な複数のハードディスク（以下「ＨＤ」と呼ぶ）装置を用いることによりデータの転送レートの高速化と大容量化を図る試みや、さらにパリティデータを記録しておくことにより、万一いずれかのＨＤ装置が故障しても信頼性を確保できるようにする試みがなされている。
【０００４】
これにより、放送局が提供しようとしている番組の内容や放送形態により要求されているチャンネル数が異なる場合であっても、複数のＡＶデータからなる素材データを分散的に記録しておき多チャンネル送出を同時に行ったり、同一の素材データを再生時間をずらして多チャンネルで再生することにより、ＶＯＤ（ビデオオンデマンド）やＮＶＯＤ（ニアビデオオンデマンド）等のシステムを構築する等、多様な使用形態に対応することのできるマルチチャンネルＡＶサーバを実現することができる。
【０００５】
このようなＡＶサーバに用いられるＨＤ装置には、１９８８年Ｐａｔｔｅｒｓｏｎ等によって発表された論文（‘A Case for Redundant Arrays of Inexpensive Disks（RAID）’, ACM SIGMOND Conference, Chicago, III, Jun.1-3,1988. ）に提唱されている、複数のＨＤからなるハードディスクドライブ（以下「ＨＤＤ  」と呼ぶ）をさらに複数台配列したＲＡＩＤ（Redundant Arrays of Inexpensiv  e Disks ）技術が用いられている。
【０００６】
上記論文の中でＲＡＩＤは、ＲＡＩＤ−１からＲＡＩＤ−５まで５つに分類されている。ＲＡＩＤ−１は２台のＨＤＤに同じ内容を書き込む方式である。ＲＡＩＤ−３は、入力データを一定の長さに分割して複数台のＨＤＤに記録するとともに、各ＨＤＤの互いに対応するデータブロックの排他的論理和であるパリティデータを生成して他の１台のＨＤＤに書き込む方式である。さらにＲＡＩＤ−５は、データの分割単位（ブロック）を大きくして、１つの分割データをデータブロックとして１台のＨＤＤに記録するとともに、各ＨＤＤの互いに対応するデータブロックの排他的論理和をとった結果（パリティデータ）をパリティブロックとして他のＨＤＤに記録するとともにパリティブロックを他のＨＤＤに分散する方式である。
その他のＲＡＩＤについては上記論文を参照されたい。
【０００７】
複数のＡＶデータの同時記録・再生を行うためには、複数のチャンネルで同時にＡＶデータの入出力を行う必要がある。そこで、ＡＶサーバには、互いに独立して動作する複数の入出力ポートが設けられており、１つの入力ポート，出力ポートがそれぞれ１チャンネル分の入力，出力を行うようになっている。
【０００８】
図１０は、放送局におけるＡＶサーバでのＡＶデータの入出力の様子を例示するものである。このＡＶサーバ１０１には、複数の素材供給部１１１（１）〜１１１（ｍ）から、それぞれ入力ラインＩＮＰＵＴ＿１〜ＩＮＰＵＴｍを経てＡＶデータ（収録対象の素材）が同時に供給される。これらのＡＶデータは、ルータ１０２でのスイッチングにより、それぞれ複数（図では３つ）の入出力ポート１０１ａ〜１０１ｃのうちのいずれか１つに入力される。各入出力ポート１０１ａ〜１０１ｃに入力したＡＶデータは、それぞれ圧縮処理等を施された後、ＲＡＩＤ技術を用いた記録再生部１０１ｄに転送されて、記録再生部１０１ｄで記録される。
【０００９】
他方、各入出力ポート１０１ａ〜１０１ｃからは、記録再生部１０１ｄで再生されて記録再生部１０１ｄから転送されたＡＶデータ（送出対象の素材）が、伸長処理等を施されて出力される。これらのＡＶデータは、ルータ１０２でのスイッチングにより、複数の送出部１１２（１）〜１１２（ｎ）のうちのいずれかにそれぞれ出力ラインＯＵＴＰＵＴ＿１〜ＯＵＴＰＵＴ＿ｎを経て供給されて、当該送出部から送出される。
【００１０】
ところで、図１０に示したように複数の素材供給部をＡＶサーバに接続する場合、素材供給部とＡＶサーバとを結ぶ入力ラインとして用いられる伝送媒体の種類やその延長距離は、個々の素材供給部の種類や設置場所によって様々である。したがって、入力ラインでのＡＶデータの伝送所要時間（すなわち遅延量）は素材供給部毎に相違しており、そのばらつきは例えば数フレーム〜十数フレーム分に達する。そのため、収録の開始及び終了のタイミングを指定して素材の収録を行う際に、そのままでは、入力ラインでの遅延量の多い素材供給部から供給された素材は末尾の何フレーム分かが収録できなくなる。
【００１１】
同様に、図１０に示したように複数の送出部をＡＶサーバに接続する場合にも、出力ラインでのＡＶデータの遅延量が送出部毎に相違する。そのため、送出の開始タイミングを指定して素材の送出を行う際にも、そのままでは、出力ラインでの遅延量の多い送出部から実際に素材の送出が開始されるタイミングが、指定されたタイミングよりも何フレーム分か遅れてしまうとともに、同一の素材を複数の送出部から送出するときの互いの送出開始タイミングが何フレーム分かずれてしまう。
【００１２】
そこで、従来は、ＡＶサーバシステムの導入時に、遅延量の少ない入力ライン上に遅延回路を介在させることにより全ての入力ラインでの遅延量を一定に揃える作業や、遅延量の少ない出力ライン上に遅延回路を介在させることにより全ての出力ラインでの遅延量を一定に揃える作業を行っていた。
【００１３】
【発明が解決しようとする課題】
しかし、遅延回路のようなハードウェアを入力ライン上や出力ライン上に介在させることは、ハードウェア構成の複雑化や消費電力の増大を招いてしまう。
【００１４】
また、システムの導入後に、素材供給部や送出部を入れ替えたり、入力ラインや出力ラインとして用いる伝送媒体の種類や延長距離を変更したりしたことにより、入力ラインや出力ラインでの遅延量が変化した場合には、遅延回路の調整や交換を行うことが必要となる。こうした作業は、専門的な知識や機材を必要とするので、システムの運用を中断することなく簡単に行えるものではなかった。
【００１５】
本発明は、上述の点に鑑み、ＡＶサーバシステムにおいて、素材供給部から入力ラインを経て供給された素材を、末尾が途切れることなく収録することや、出力ラインを経て送出部に供給した素材を、指定された通りのタイミングで送出部から送出させることを、遅延回路のようなハードウェアを入力ライン上や出力ライン上に介在させず、且つ、専門的な知識や機材を必要とせずに、ＡＶサーバシステムの運用中に簡単に実現できるようにすることを課題としてなされたものである。
【００１６】
【課題を解決するための手段】
この課題を解決するために、本出願人は、それぞれ異なる入力ラインを経て複数のデータが外部から入力されるとともに、外部に出力されたデータがそれぞれ異なる出力ラインを経て伝送される記録再生装置において、ノンリニアアクセス可能な記録媒体を用いてデータの記録及び／または再生を行う記録再生手段と、外部から入力されるデータをこの記録再生手段に転送し、この記録再生手段から転送されたデータを外部に出力する少なくとも１つの入出力処理手段と、この記録再生手段でのデータの記録タイミング及び再生タイミングを指定する指定手段と、この指定手段で指定された記録タイミングに対する補正値及びこの指定手段で指定された再生タイミングに対する補正値を設定する設定手段と、この指定手段で指定された記録タイミングを、この設定手段で設定されたこの記録タイミングに対する補正値により補正したタイミングで、この記録再生手段にデータを記録させ、この指定手段で指定された再生タイミングを、この設定手段で設定されたこの再生タイミングに対する補正値により補正したタイミングで、この記録再生手段からデータを再生させる制御手段と、を備えた記録再生装置を提案する。
【００１７】
この記録再生装置では、指定手段で指定された記録タイミング及び再生タイミングに対する補正値をそれぞれ設定する設定手段と、この補正値により補正した記録タイミングや再生タイミングで記録再生手段にデータを記録再生させる制御手段とが設けられている。
【００１８】
この設定手段で、記録タイミングに対する補正値を、外部からのデータを記録再生装置に伝送する入力ラインでのデータの遅延量に応じて設定すれば、この制御手段により、この補正値により補正したタイミング（補正値の分だけ遅らせたタイミング）で、記録再生手段にデータを記録させる制御が行われる。これにより、末尾を途切らせることなく記録再生手段でデータが記録される。そして、記録再生動作中に入力ラインでの遅延量が変化した場合にも、変化した遅延量に応じてこの設定手段で補正値を設定すれば、やはり末尾を途切らせることなく記録再生手段でデータが記録される。
【００１９】
また、この設定手段で、再生タイミングに対する補正値を、記録再生装置から出力されたデータを伝送する出力ラインでの遅延量に応じて設定すれば、この制御手段により、この補正値により補正したタイミング（補正値の分だけ早めたタイミング）で、記録再生手段からデータを再生させる制御が行われる。これにより、記録再生装置から出力されたデータが、指定された通りの再生タイミングでその供給先に供給される。そして、記録再生動作中に出力ラインでの遅延量が変化したときにも、変化した遅延量に応じてこの設定手段で補正値を設定すれば、やはり指定された通りの再生タイミングでデータが供給先に供給される。
【００２０】
このように、この記録再生装置によれば、データを末尾が途切れることなく記録することや、指定された通りの再生タイミングでデータを供給先に供給することが、遅延回路のようなハードウェアを入力ライン上や出力ライン上に介在させず、且つ、専門的な知識や機材を必要とせずに簡単に実現される。
【００２１】
したがって、例えばＡＶサーバシステムに適用すれば、素材供給部から入力ラインを経て供給される素材を、末尾が途切れることなく収録することや、出力ラインを経て送出部に供給する素材を、指定された通りのタイミングで送出部から送出させることを、遅延回路のようなハードウェアを入力ライン上や出力ライン上に介在させず、且つ、専門的な知識や機材を必要とせずに、ＡＶサーバシステムの運用中に簡単に実現できるようになる。
【００２２】
なお、それぞれ異なる入力ラインを経て複数のデータが外部から入出力処理手段に入力されるとともに、入出力処理手段から外部に出力されたデータがそれぞれ異なる出力ラインを経て伝送される場合には、一例として、この設定手段を、これらの入力ライン毎及び出力ライン毎に補正値を設定可能なように構成することが好適である。
【００２３】
それにより、入力ライン毎に遅延量が相違していても、いずれの入力ラインを伝送されるデータも末尾を途切らせることなく記録再生手段で記録されるようになるとともに、出力ライン毎に遅延量が相違していても、いずれの出力ラインで伝送されるデータも、指定された通りの再生タイミングでその供給先に供給されるようになる。
【００２４】
そして、複数の供給先に同じタイミングでデータを供給させることができるようになるので、ＡＶサーバシステムに適用した場合に、同一の素材を複数の送出部から同じタイミングで送出させることもできるようになる。
【００２５】
また、入出力処理手段で映像データが入力及び出力される場合には、一例として、この設定手段を、フレーム単位で補正値を設定可能なように構成することが好適である。
【００２６】
次に、本出願人は、ノンリニアアクセス可能な記録媒体を用いてデータの記録及び／または再生を行う記録再生手段と、外部から入力されるデータをこの記録再生手段に転送し、この記録再生手段から転送されたデータを外部に出力する少なくとも１つの入出力処理手段と、この記録再生手段でのデータの記録タイミング及び再生タイミングを指定する指定手段とを有し、それぞれ異なる入力ラインを経て複数のデータが外部から前記入出力処理手段に入力されるとともに、前記入出力処理手段から外部に出力されたデータがそれぞれ異なる出力ラインを経て伝送される記録再生装置における記録再生タイミングの調整方法において、外部からのデータを記録再生装置に伝送する入力ラインでのデータの遅延量に応じて、指定手段で指定された記録タイミングに対する補正値を設定し、記録再生装置から出力されたデータを伝送する出力ラインでの遅延量に応じて、指定手段で指定された再生タイミングに対する補正値を設定する第１ステップと、指定手段で指定された記録タイミングを、この第１ステップで設定した記録タイミングに対する補正値により補正したタイミングで、記録再生手段にデータを記録させ、指定手段で指定された再生タイミングを、この第１ステップで設定した再生タイミングに対する補正値により補正したタイミングで、記録再生手段からデータを再生させる第２ステップと、を含んだものを提案する。
【００２７】
この記録再生タイミングの調整方法では、指定手段で指定された記録タイミングに対する補正値を、外部からのデータを記録再生装置に伝送する入力ラインでのデータの遅延量に応じて設定し、この補正値により補正したタイミング（補正値の分だけ遅らせたタイミング）で、記録再生手段にデータを記録させる。これにより、末尾を途切らせることなく記録再生手段でデータが記録される。そして、記録再生動作中に入力ラインでの遅延量が変化した場合にも、変化した遅延量に応じて補正値を設定することにより、やはり末尾を途切らせることなく記録再生手段でデータが記録される。
【００２８】
また、この調整方法では、指定手段で指定された再生タイミングに対する補正値を、記録再生装置から出力されたデータを伝送する出力ラインでの遅延量に応じて設定し、この補正値により補正したタイミング（補正値の分だけ早めたタイミング）で、記録再生手段からデータを再生させる。これにより、記録再生装置から出力されたデータが、指定された通りの再生タイミングでその供給先に供給される。そして、記録再生動作中に出力ラインでの遅延量が変化した場合にも、変化した遅延量に応じて補正値を設定することにより、やはり指定された通りの再生タイミングでデータが供給先に供給される。
【００２９】
このように、この記録再生タイミングの調整方法によれば、データを末尾が途切れることなく記録することや、指定された通りの再生タイミングでデータを供給先に供給することが、遅延回路のようなハードウェアを入力ライン上や出力ライン上に介在させず、且つ、専門的な知識や機材を必要とせずに簡単に実現される。
【００３０】
したがって、例えばＡＶサーバシステムに適用すれば、素材供給部から入力ラインを経て供給される素材を、末尾が途切れることなく収録することや、出力ラインを経て送出部に供給する素材を、指定された通りのタイミングで送出部から送出させることを、遅延回路のようなハードウェアを入力ライン上や出力ライン上に介在させず、且つ、専門的な知識や機材を必要とせずに、ＡＶサーバシステムの運用中に簡単に実現できるようになる。
【００３１】
なお、それぞれ異なる入力ラインを経て複数のデータが外部から入出力処理手段に入力されるとともに、入出力処理手段から外部に出力されたデータがそれぞれ異なる出力ラインを経て伝送される場合には、一例として、第１ステップで、これらの入力ライン毎及び出力ライン毎に補正値を設定することが好適である。
【００３２】
それにより、入力ライン毎に遅延量が相違していても、いずれの入力ラインで伝送されるデータも末尾を途切らせることなく記録再生手段で記録されるようになるとともに、出力ライン毎に遅延量が相違していても、いずれの出力ラインで伝送されるデータも、指定された通りの再生タイミングでその供給先に供給されるようになる。
【００３３】
しかも、複数の供給先に同じタイミングでデータを供給させることができるようになるので、ＡＶサーバシステムに本発明を適用した場合に、同一の素材を複数の送出部から同じタイミングで送出させることもできるようになる。
【００３４】
また、入出力処理手段で映像データが入力及び出力される場合には、一例として、第１ステップで、フレーム単位で補正値を設定することが好適である。
【００３５】
【発明の実施の形態】
以下では、本発明をＡＶサーバシステムに適用した例について説明する。
図１は、本発明を適用したＡＶサーバシステムの全体構成を示す。このシステムは、オペレーション端末１と、上位端末２と、ＤＢ（データベース）端末３と、ＳＶＭ（サーバマネージャー）端末４と、スーパー作成端末５とが、例えばイーサネットのようなネットワークによって結合されるとともに、ＡＶサーバ部７が、ＳＭＳＧＷ（サーバマネージメントシステムゲートウェイ）端末６を介してこのネットワークに接続されて成っている。
【００３６】
ＡＶサーバ部７には、このＡＶサーバシステムの外部の複数（図では１０）の素材供給部２１〜３０から、それぞれ入力ラインＩＮＰＵＴ＿Ａ〜ＩＮＰＵＴ＿Ｊを経て、ＡＶデータ（収録対象の素材）が同時にＡＶサーバ部７に供給される。これらのＡＶデータには、地上波放送や衛星放送等（ＧＴＶ，ＥＴＶ，ＢＳ１，ＢＳ２等）で放送中の番組も含まれている。
【００３７】
ＡＶサーバ部７から出力されたＡＶデータ（送出対象の素材）は、このＡＶサーバシステムの外部の複数（図では３つ）の送出部３１〜３３のうちの少なくとも１つにそれぞれ出力ラインＯＵＴＰＵＴ＿Ａ〜ＯＵＴＰＵＴ＿Ｃを経て供給されて、当該送出部から送出される。
【００３８】
各端末１〜６は、それぞれその機能に対応したアプリケーションを実行するパーソナルコンピュータで構成されている。
オペレーション端末１は、このＡＶサーバシステムのオペレータが、ＧＵＩ（グラフィカルユーザインタフェース）環境のもとで、収録・送出対象の素材及びその収録・送出タイミングを指定したり、ＡＶサーバシステムの現在の状態を確認したりするための端末である。また、本発明の特徴として、収録タイミングや送出タイミングに対する補正値の設定も、このオペレーション端末１で行われる。
【００３９】
図２は、収録タイミングに対する補正値の設定用にオペレーション端末１に表示される画面を示す。この画面には、各入力ラインＩＮＰＵＴ＿Ａ〜ＩＮＰＵＴ＿Ｊ毎に、当該ラインで伝送されるＡＶデータの種類（ＧＴＶ，ＥＴＶ，ＢＳ１，ＢＳ２等）を表示する欄４１と、当該ラインで伝送されるＡＶデータの収録タイミングに対する補正値をマウス操作によりフレーム単位で設定するためのアイコン４２と、アイコン４２で設定した補正値（フレーム数）を表示する欄４３とが設けられている。図では、入力ラインＩＮＰＵＴ＿Ｂ，ＩＮＰＵＴ＿Ｃ，ＩＮＰＵＴ＿Ｄ，ＩＮＰＵＴ＿Ｆ，ＩＮＰＵＴ＿Ｈについて、それぞれ補正値としてフレーム数１，１６，１，１，１が設定されて欄４３に表示されている。
【００４０】
また、画面の下端には、アイコン４２で設定した全ての入力ラインＩＮＰＵＴ＿Ａ〜ＩＮＰＵＴ＿Ｊについての補正値を確定するためのアイコン４４と、これらの補正値をキャンセルするためのアイコン４５とが設けられている。
【００４１】
図示は省略するが、オペレーション端末１には、図１の出力ラインＯＵＴＰＵＴ＿Ａ〜ＯＵＴＰＵＴ＿Ｃ毎に送出タイミングに対する補正値を設定するための画面も、図２と同様にして表示される。
【００４２】
なお、これらの画面での収録タイミングや送出タイミングに対する補正値の設定は、このＡＶサーバシステムの運用中にも行うことができ、その場合には、その後新たに素材の収録・送出が開始されるときからその補正値が適用される。
【００４３】
図３は、収録対象の素材及びその収録タイミングの指定用にオペレーション端末１に表示される画面を示す。この画面には、図１の入力ラインＩＮＰＵＴ＿Ａ〜ＩＮＰＵＴ＿Ｊを経て供給されるＡＶデータ（ＧＴＶ，ＥＴＶ，ＢＳ１，ＢＳ２等）のうちのいずれを収録するかをマウス操作により選択するためのアイコン５１や、アイコン５１で選択したＡＶデータを表示する欄５２や、そのＡＶデータの収録の開始及び終了のタイミングをキー入力によって指定する欄５３や、そのＡＶデータにキー入力によって番組名及びサブタイトルを付ける欄５４等が設けられている。
【００４４】
図４は、送出対象の素材及びその送出タイミングの指定用にオペレーション端末１に表示される画面を示す。この画面には、ＡＶデータの収録時に図３の欄５４に入力した番組名やサブタイトルをコピーアンドペーストまたはドラッグアンドドロップ等のマウス操作で貼り付けることによってそのＡＶデータを送出対象の素材として選択する欄６１や、そのＡＶデータの送出の開始及び終了のタイミングをキー入力によって指定する欄６２等が設けられている。
【００４５】
オペレータは、放送局でのプレイリスト（番組構成表等）によっては収録・送出することや収録・送出タイミングが決定されていない素材（例えば臨時ニュースの素材等）について、図３や図４の画面を呼び出して、収録・送出対象とすることの指定や収録・送出タイミングの指定を行うことができる。
【００４６】
図１の上位端末２では、放送局でのプレイリストが管理される。上位端末２からは、このプレイリストに基づいて、収録・送出対象の素材及びその収録・送出タイミングを示す情報が作成される。また、上位端末２からは、ＡＶサーバ部７からのＡＶデータの出力とスーパー作成端末５からのスーパーインポーズ用のキャラクターデータの出力とを同期させるためのタイミングパルスが、ＳＭＳＧＷ端末６及びスーパー作成端末５に送られる。
【００４７】
ＤＢ端末３では、オペレーション端末１で指定された収録・送出対象の素材，その収録・送出タイミング及び補正値の情報や、上位端末２で作成された収録・送出対象の素材及びその収録・送出タイミングの情報や、ＡＶサーバシステムの現在の状態を示す情報が、データベース化して登録される。
【００４８】
ＡＶサーバシステムの現在の状態を示す情報には、収録済みの素材や、ＡＶサーバシステムで実行されるアプリケーションや、現在収録・送出中の素材や、ＡＶサーバ部７の各デバイスの状態（個々のＨＤＤや入出力ポート等が、使用可能であるか否か、ＳＭＳＧＷ端末６と通信中であるか否か）等の情報が含まれる。
【００４９】
図５は、このデータベースの画面表示例を示す。画面の左半分に、収録済みの素材のファイル名や、ＡＶサーバシステムで実行されるアプリケーション中のファイル名や、現在収録・送出中の素材や、ＡＶサーバ部７の各デバイスの状態等の一覧がテーブルとして表示される。
【００５０】
また、このテーブルからマウス操作によって選択されたアプリケーション中のファイル「SR＿Material(dbo) 」（図で反転表示されているファイル）についての各種パラメータが、画面の右半分に表示される。この画面の「列名」における“ｍａ”に続くコード名はそれぞれ当該列名に固有のものであり、マウス操作によっていずれかの列名を選択すると、このコード名をキーにして、オーディオ設定や素材編集世代やステータス等の情報が画面表示される。
【００５１】
ＳＶＭ端末４では、ＤＢ端末３に登録されている収録・送出対象の素材及びその収録・送出タイミングの情報に基づいて、素材の収録や送出を指示するコマンドが作成されて、そのコマンドがＳＭＳＧＷ端末６に送られる。
【００５２】
また、ＳＶＭ端末４では、ＡＶサーバ部７のいずれかのデバイスに障害が発生したときに、障害処理（アラーム情報の作成や、障害が発生したデバイスが実行していた処理の別のデバイスへの割り当て）が行われる。
【００５３】
本発明の特徴として、ＳＶＭ端末４では、素材供給部２１，２２，…３０から供給される素材の収録を指示するコマンドを作成する際に、それぞれＤＢ端末３に登録されている入力ラインＩＮＰＵＴ＿Ａ，ＩＮＰＵＴ＿Ｂ，…ＩＮＰＵＴ＿Ｊについての補正値分だけ収録タイミングを遅らせたコマンドが作成されるとともに、送出部３１，３２，３３からの素材の送出を指示するコマンドを作成する際に、それぞれＤＢ端末３に登録されている出力ラインＯＵＴＰＵＴ＿Ａ，ＯＵＴＰＵＴ＿Ｂ，ＯＵＴＰＵＴ＿Ｃについての補正値分だけ送出タイミングを早めたコマンドが作成される。
【００５４】
より具体的には、ＳＶＭ端末４内には、ＤＢ端末３に登録されている収録対象，送出対象の素材及び収録タイミング，送出タイミングの情報に基づいてそれぞれ収録，送出のマクロ命令及びそのパラメータを発行する収録マネージャー，送出マネージャーと、収録マネージャー及び送出マネージャーからこのマクロ命令及びパラメータが引き渡されてＳＭＳＧＷ端末６との間でＭＴＰ通信によるデバイス制御通信を行うＥＺＭＡＸとが設けられているが、収録マネージャーは、このパラメータ中の収録タイミングを補正値分だけ遅らせ、送出マネージャー、このパラメータ中の送出タイミングを補正値分だけ早める。
【００５５】
下記の数１は、収録マネージャーから発行されるマクロ命令及びそのパラメータの一部を例示したものである。Ｍａｃｒｏは実行対象マクロ名、ＡＲＧ２は収録開始時刻を示すパラメータ、ＡＲＧ３は素材の長さを示すパラメータ、ＡＲＧ５は収録ファイル名を示すパラメータである。ＡＲＧ２の値１：０：０：０３は、１時０分０秒０３に収録を開始することを意味しており、これは、ＤＢ端末３に登録されている収録開始タイミングである１時０分０秒を、ＤＢ端末３に登録されている補正値分である０秒０３だけ遅らせたものである。
【数１】
0004288802.tif 000002
【００５６】
スーパー作成端末５では、ＤＢ端末３に登録されている送出対象の素材及びその送出タイミングの情報に基づいて、スーパーインポーズ用のキャラクターデータが作成される。このキャラクターデータは、上位端末２からのタイミングパルスに基づいて、スーパー作成端末５から出力される。
【００５７】
ＳＭＳＧＷ端末６では、ＳＶＭ端末４からのコマンドに基づいて、ＡＶサーバ部７が制御される。このＳＭＳＧＷ端末６での処理は、図６に示すように、実行管理タスクとデバイス情報管理タスクとに大別される。実行管理タスクは、ＳＶＭ端末４・ＳＭＳＧＷ端末６間及びＳＭＳＧＷ端末６・ＡＶサーバ部７間の通信処理である。デバイス情報管理タスクは、ＡＶサーバ部７のデバイス構成や各デバイスの状態をデータベース化して登録する処理である。ＳＶＭ端末４からのコマンドに基づいて、具体的にＡＶサーバ部７のどのデバイスを動作させる（例えば収録対象の素材をどの入出力ポートから入力させる）コマンドをＡＶサーバ部７に送るかは、ＳＶＭ端末４からのコマンドを受信した実行管理タスクがデバイスの割当要求をデバイス情報管理タスクに伝え、デバイス情報管理タスクがその割当結果を実行管理タスクに伝えることによって決定される。
【００５８】
図７は、デバイス情報管理タスクのデータベースの画面表示例を示す。画面の左半分には、ＡＶサーバ部７のデバイスの一覧がテーブルとして表示される。また、このテーブルからマウス操作によって選択されたデバイス「disk＿info(RIMT)」（図で反転表示されているデバイス）についての各種パラメータが、画面の右半分に表示される。
【００５９】
図８は、図１のＡＶサーバ部７の構成を示す。ＡＶサーバ部７は、ＩＤＣ（インテリジェントデバイスコントローラ）１１と、ＳＵＢＩＤＣ（サブインテリジェントデバイスコントローラ）１２〜１４と、ＡＶサーバ１５，１６と、ルータ１７とを含んでいる。ＡＶサーバ１５にはＩＤＣ１１及びＳＵＢＩＤＣ１２を介してＳＭＳＧＷ端末６からコマンドが送られ、ＡＶサーバ１５からはＳＵＢＩＤＣ１２及びＩＤＣ１１を介してＳＭＳＧＷ端末６にステータスが送られる。同様に、ＡＶサーバ１６・ＳＭＳＧＷ端末６間，ルータ１７・ＳＭＳＧＷ端末６間でも、それぞれＩＤＣ１１及びＳＵＢＩＤＣ１３，ＩＤＣ１１及びＳＵＢＩＤＣ１４を介してコマンド及びステータスの送信が行なわれる。
【００６０】
ＡＶサーバ１５には、３つの入出力ポート１５ａ〜１５ｃと、これらの入出力ポートの動作を制御する記録／再生コントローラ１５ｄと、記録再生部１５ｅとを含んでいる。各入出力ポート１５ａ〜１５ｃは、それぞれ１チャンネル分のＡＶデータの入力と１チャンネル分のＡＶデータの出力とを同時に行うことが可能である。記録再生部１５ｅは、ＲＡＩＤ−３を採用したものであり、複数のＡＶデータの同時記録・再生が可能である。ＡＶサーバ１６の構成も、ＡＶサーバ１５と同じである。
【００６１】
入力ラインＩＮＰＵＴ＿Ａ〜ＩＮＰＵＴ＿Ｊを経てＡＶサーバ部７に供給された複数のＡＶデータ（収録対象の素材）は、ルータ１７でのスイッチングにより、それぞれＡＶサーバ１５及び１６の合計６つの入出力ポート１５ａ〜１５ｃ及び１６ａ〜１６ｃのうちのいずれか１つに入力される。各入出力ポート１５ａ〜１５ｃ，１６ａ〜１６ｃに入力したＡＶデータは、圧縮処理等を施された後、それぞれ記録再生部１５ｅ，１６ｅに転送される。
【００６２】
記録再生部１５ｅ，１６ｅでは、それぞれ、転送されたＡＶデータが一定の長さのブロックに分割されて複数台のＨＤＤに記録され、かつ、それらのＨＤＤの互いに対応するデータブロックの排他的論理和であるパリティデータが生成されて別の１台のＨＤＤに書き込まれる。
【００６３】
他方、各入出力ポート１５ａ〜１５ｃ，１６ａ〜１６ｃからは、記録再生部１５ｅ，１６ｅで再生（データブロックを一本化しパリティデータで訂正）されて記録再生部１５ｅ，１６ｅから転送されたＡＶデータ（送出対象の素材）が、伸長処理等を施されてそれぞれ出力される。各入出力ポート１５ａ〜１５ｃ，１６ａ〜１６ｃから出力されたＡＶデータは、ルータ１７でのスイッチングにより、図１に示すように、送出部３１〜３３のうちのいずれかにそれぞれ出力ラインＯＵＴＰＵＴ＿Ａ〜ＯＵＴＰＵＴ＿Ｃを経て供給されて、当該送出部から送出される。送出部３１に供給されるＡＶデータには、スーパー作成端末５から出力されたキャラクターデータがミキシングされる。
【００６４】
次に、このＡＶサーバシステムでの素材の収録・送出動作の流れを、図９を用いて説明する。
このＡＶサーバシステムの導入時に、オペレータが、オペレーション端末１で、各入力ラインＩＮＰＵＴ＿Ａ〜ＩＮＰＵＴ＿Ｊでの遅延量に応じて収録タイミングに対する補正値を入力ラインＩＮＰＵＴ＿Ａ〜ＩＮＰＵＴ＿Ｊ毎に設定する（図２参照）とともに、各出力ラインＯＵＴＰＵＴ＿Ａ〜ＯＵＴＰＵＴ＿Ｃでの遅延量に応じて送出タイミングに対する補正値を出力ラインＯＵＴＰＵＴ＿Ａ〜ＯＵＴＰＵＴ＿Ｃ毎に設定すると、それらの補正値がＤＢ端末３に登録される（ステップＳ１）。
【００６５】
その後、このＡＶサーバシステムの運用時に、オペレータが、オペレーション端末１で、収録・送出対象の素材及びその収録・送出タイミングを指定する（図３及び図４参照）と、その素材及びタイミングを示す情報がＤＢ端末３に登録される（ステップＳ２）。
【００６６】
また、上位端末２で作成された収録・送出対象の素材及びその収録・送出タイミングを示す情報が、ＤＢ端末３に登録される（ステップＳ３）。
【００６７】
このようにしてＤＢ端末３に登録された収録・送出対象の素材，収録・送出タイミング及び補正値の情報に基づいて、ＳＶＭ端末４では、素材供給部２１，２２，…３０から供給される素材について、それぞれ入力ラインＩＮＰＵＴ＿Ａ，ＩＮＰＵＴ＿Ｂ，…ＩＮＰＵＴ＿Ｊについての補正値分だけ収録タイミングを遅らせた収録指示のコマンドが作成されるとともに、送出部３１，３２，３３から送出される素材について、それぞれ出力ラインＯＵＴＰＵＴ＿Ａ，ＯＵＴＰＵＴ＿Ｂ，ＯＵＴＰＵＴ＿Ｃについての補正値分だけ送出タイミングを早めたコマンドが作成される（ステップＳ４）。
【００６８】
そして、このコマンドに基づいてＳＭＳＧＷ端末６がＡＶサーバ部７を制御することにより、素材の収録・送出が行われる（ステップＳ５）。
【００６９】
これにより、各素材供給部２１〜３０から供給される素材の収録が、それぞれ各入力ラインＩＮＰＵＴ＿Ａ〜ＩＮＰＵＴ＿Ｊでの遅延量分だけ遅らせたタイミングで開始されるので、それらの素材がそれぞれ末尾を途切らせることなく収録される。
【００７０】
また、各送出部３１〜３３への素材の供給が、それぞれ各出力ラインＯＵＴＰＵＴ＿Ａ〜ＯＵＴＰＵＴ＿Ｃでの遅延量分だけ早いタイミングで開始されるので、各送出部３１〜３３からそれぞれ指定された通りの送出タイミングで素材が送出される。したがって、同一の素材を送出部３１〜３３のうちの２以上から同じタイミングで送出させることもできる。
【００７１】
その後、このＡＶサーバシステムの運用中に、素材供給部２１〜３０や送出部３１〜３３を入れ替えたり入力ラインＩＮＰＵＴ＿Ａ〜ＩＮＰＵＴ＿Ｊや出力ラインＯＵＴＰＵＴ＿Ａ〜ＯＵＴＰＵＴ＿Ｃとして用いる伝送媒体の種類や延長距離を変更したりした際にも、オペレータが遅延量の変化に応じてオペレーション端末１で収録・送出タイミングに対する補正値を設定すれば、やはり、各素材供給部２１〜３０から供給される素材が末尾を途切れらせることなく収録されるとともに、各送出部３１〜３３からそれぞれ指定された通りの送出タイミングで素材が送出される。
【００７２】
このように、このＡＶサーバシステムによれば、各素材供給部２１〜３０から供給される素材を末尾が途切れることなく収録することや、指定された通りの送出タイミングで各送出部３１〜３３から素材を送出させることが、遅延回路のようなハードウェアを入力ラインＩＮＰＵＴ＿Ａ〜ＩＮＰＵＴ＿Ｊ上や出力ラインＯＵＴＰＵＴ＿Ａ〜ＯＵＴＰＵＴ＿Ｃ上に介在させず、且つ、専門的な知識や機材を必要とせずに、ＡＶサーバシステムの運用中にＧＵＩ環境のもとで簡単に実現される。
【００７３】
なお、以上のＡＶサーバシステムではそれぞれ３つの入出力ポートを有するＡＶサーバを２つ用いているが、それぞれ適宜の数の入出力ポートを有するＡＶサーバを適宜の数だけ用いたＡＶサーバシステムに本発明を適用してよい。
【００７４】
また、以上のＡＶサーバシステムでは入力ポートと出力ポートとを一体とした入出力ポートを有するＡＶサーバを用いているが、入力ポートと出力ポートとを別体として有するＡＶサーバを用いたＡＶサーバシステムにも本発明を適用してよい。
【００７５】
また、以上のＡＶサーバシステムでは、ＲＡＩＤ技術を採用した記録再生部を有するＡＶサーバを用いているが、ＲＡＩＤ技術を採用することなくＨＤにＡＶデータを記録するＡＶサーバや、ＨＤ以外のノンリニアアクセス可能な記録媒体（例えば半導体メモリや光ディスク）にＡＶデータを記録するＡＶサーバを用いたＡＶサーバシステムにも本発明を適用してよい。
【００７６】
また、以上の例では、複数の端末とＡＶサーバとで構成されるＡＶサーバシステムに本発明を適用しているが、このＡＶサーバシステムの機能を単体で実現する装置にも本発明を適用してよい。
【００７７】
また、本発明は、ＡＶサーバシステム以外の、ノンリニアアクセス可能な記録媒体を用いてデータを記録及び／または再生するとともに複数チャンネルで同時にデータを入出力する記録再生装置にも適用してもよい。
また、本発明は、以上の例に限らず、本発明の要旨を逸脱することなく、その他様々の構成をとりうることはもちろんである。
【００７８】
【発明の効果】
以上のように、本発明に係る記録再生装置によれば、データを末尾が途切れることなく記録することや、指定された通りの再生タイミングでデータを供給先に供給することを、遅延回路のようなハードウェアを入力ライン上や出力ライン上に介在させず、且つ、専門的な知識や機材を必要とせずに簡単に実現できるという効果が得られる。
【００７９】
したがって、例えばＡＶサーバシステムに適用すれば、素材供給部から入力ラインを経て供給される素材を、末尾が途切れることなく収録することや、出力ラインを経て送出部に供給する素材を、指定された通りのタイミングで送出部から送出させることを、遅延回路のようなハードウェアを入力ライン上や出力ライン上に介在させず、且つ、専門的な知識や機材を必要とせずに、ＡＶサーバシステムの運用中に簡単に実現できるようになる。
【００８０】
なお、本発明に係る記録再生装置によれば、入力ライン毎に遅延量が相違していても、いずれの入力ラインで伝送されるデータも末尾を途切らせることなく記録できるという効果や、出力ライン毎に遅延量が相違していても、いずれの出力ラインで伝送されるデータも指定された通りの再生タイミングでその供給先に供給できるという効果も得られる。
【００８１】
さらに、複数の供給先に同じタイミングでデータを供給できるという効果も得られるので、ＡＶサーバシステムに適用した場合に、同一の素材を複数の送出部から同じタイミングで送出させることもできるようになる。
【００８２】
次に、本発明に係る記録再生タイミングの調整方法によれば、データを末尾が途切れることなく記録することや、指定された通りの再生タイミングでデータを供給先に供給することを、遅延回路のようなハードウェアを入力ライン上や出力ライン上に介在させず、且つ、専門的な知識や機材を必要とせずに簡単に実現できるという効果が得られる。
【００８３】
したがって、例えばＡＶサーバシステムに適用すれば、素材供給部から入力ラインを経て供給される素材を、末尾が途切れることなく収録することや、出力ラインを経て送出部に供給する素材を、指定された通りのタイミングで送出部から送出させることを、遅延回路のようなハードウェアを入力ライン上や出力ライン上に介在させず、且つ、専門的な知識や機材を必要とせずに、ＡＶサーバシステムの運用中に簡単に実現できるようになる。
【００８４】
なお、本発明に係る記録再生タイミングの調整方法によれば、入力ライン毎に遅延量が相違していても、いずれの入力ラインで伝送されるデータも末尾を途切らせることなく記録できるという効果や、出力ライン毎に遅延量が相違していても、いずれの出力ラインで伝送されるデータも指定された通りの再生タイミングでその供給先に供給できるという効果も得られる。
【００８５】
さらに、複数の供給先に同じタイミングでデータを供給できるという効果も得られるので、ＡＶサーバシステムに適用した場合に、同一の素材を複数の送出部から同じタイミングで送出させることもできるようになる。
【図面の簡単な説明】
【図１】本発明を適用したＡＶサーバシステムの全体構成例を示す図である。
【図２】図１のオペレーション端末に収録タイミングに対する補正値の設定用に表示される画面を例示する図である。
【図３】図１のオペレーション端末に収録対象の素材及び収録タイミングの指定用に表示される画面を例示する図である。
【図４】図１のオペレーション端末に送出対象の素材及び送出タイミングの指定用に表示される画面を例示する図である。
【図５】図１のＤＢ端末に登録されたデータベースの画面表示例を示す図である。
【図６】図１のＳＭＳＧＷ端末での処理を例示する図である
【図７】図１のＳＭＳＧＷ端末に登録されたデータベースの画面表示例を示す図である。
【図８】図１のＡＶサーバ部の構成例を示す図である。
【図９】図１のＡＶサーバシステムでの素材の収録・送出動作の流れを示す図である。
【図１０】放送局におけるＡＶサーバでのＡＶデータの入出力の様子を示す図である。
【符号の説明】
１  オペレーション端末、  ２  上位端末、  ３  ＤＢ（データベース）端末、  ４  ＳＶＭ（サーバマネージャー）端末、  ５  スーパー作成端末、  ６  ＳＭＳＧＷ（サーバマネージメントシステムゲートウェイ）端末、  ７  ＡＶサーバ部、  １１  ＩＤＣ（インテリジェントデバイスコントローラ）、  １２〜１４  ＳＵＢＩＤＣ（サブインテリジェントデバイスコントローラ）、  １５，１６  ＡＶサーバ、  １５ａ〜１５ｃ，１６ａ〜１６ｃ  入出力ポート、  １５ｄ，１６ｄ  記録／再生コントローラ、  １５ｅ，１６ｅ  記録再生部、  １７ルータ、  ２１〜３０  素材供給部、  ３１〜３３  送出部、  ＩＮＰＵＴ＿Ａ〜ＩＮＰＵＴ＿Ｊ  入力ライン、  ＯＵＴＰＵＴ＿Ａ〜ＯＵＴＰＵＴ＿Ｃ  出力ライン
【図１】
0004288802.tif 000003
【図２】
0004288802.tif 000004
【図３】
0004288802.tif 000005
【図４】
0004288802.tif 000006
【図５】
0004288802.tif 000007
【図６】
0004288802.tif 000008
【図７】
0004288802.tif 000009
【図８】
0004288802.tif 000010
【図９】
0004288802.tif 000011
【図１０】
0004288802.tif 000012